(57)【要約】【課題】不良灯油や誤って軽油を使用した場合、多量に発生したドレンが装置内部へ流出し、臭いが発生したり火災の原因となる危険性があった。【解決手段】ドレンが多量に発生した場合、バーナ６内に収容しきれなくなって流れ出たドレンを受けるドレン受部１５をバーナボックス７に設けた。燃焼が継続してバーナ６が加熱されるとバーナボックス７の温度も上昇していくため、ドレン受部１５では溜まったドレンが気化されて気化ガスとなり、再びバーナ６で燃焼に使用される。よって、ドレンを装置内に流出させず、臭いの発生や火災等の原因となることを防止できる。【選択図】図２
2007155249.tif 000002
【特許請求の範囲】
【請求項１】
液体燃料を燃焼するバーナと、前記バーナを収容して置台上に載置されるバーナボックスとを備え、前記バーナで発生するドレンを受けるドレン受部が前記バーナボックスに設けられていることを特徴とする液体燃料燃焼装置。
【請求項２】
前記ドレン受部はドレンを排出するドレン排出孔を有し、前記置台は周縁に置台溜まり部を有するとともに、ドレン排出孔から排出されたドレンを置台溜まり部に導くドレン流路が設けられていることを特徴とする請求項１記載の液体燃料燃焼装置。
【請求項３】
前記バーナボックスはバーナへ供給する一次空気が流入する一次空気流入口を備える仕切板を有し、ドレン受部は前記仕切板の一次空気流入口より下流に設けられていることを特徴とする請求項１または２に記載の液体燃料燃焼装置。
【発明の詳細な説明】
【技術分野】
【０００１】
本発明は、ファンヒーター等の液体燃料燃焼装置に関するものである。
【背景技術】
【０００２】
従来、灯油等の液体燃料を燃焼するこの種の燃焼装置として、燃料を加熱気化する気化器を備え、この気化器の先端からバーナの混合管に気化ガスを噴出して、噴出の際に引き込まれる一次空気と気化ガスとを混合管内で混合して混合ガスを生成し、この混合ガスをバーナで燃焼させるような構造のものがある。このような燃焼装置は、気化器から噴出される気化ガスの量に応じ、混合管に引き込まれる一次空気の量が自動的に調整されるので、常に安定した燃焼が行われるようになっている。
【０００３】
なお、燃焼開始直後の混合管の温度は低く、室温と同等程度である。そのため混合管に噴出された高温の気化ガスは混合管内壁に接触することで冷却されて結露し、結露した気化ガスがドレンとなって混合管内壁に付着してしまう。また、気化ガスと一次空気が混合される際にも、一次空気により気化ガスが冷却されて結露し、ドレンが発生して混合管内部に付着することになる。
【０００４】
しかしながら、燃焼によって混合管の温度が上昇すれば、このようにして混合管内部に付着したドレンも加熱されて気化ガスとなってバーナで燃焼されるため、ドレンが溜まって混合管から流れ出てしまうことはほとんどなく、また、あらたにドレンが発生することもないため、燃焼状態は安定することになる。
【特許文献１】特開２００４−７７０４９号公報
【発明の開示】
【発明が解決しようとする課題】
【０００５】
ところが、燃料として不良灯油を使用したり、また誤って軽油を使用してしまった場合、これらの燃料は通常の灯油よりも気化温度が高いため混合管内で結露しやすく、多量のドレンが発生し混合管内に堆積されてしまう。すると、混合管内に溜まったドレンが流れ出して燃焼装置内に流出することとなり、これにより臭いが発生したり、また装置内に埃などが堆積していると、ここにドレンが浸透してしまい火災発生の原因となる恐れがあるため非常に危険である。
【０００６】
本発明は、上記課題を解決するためのもので、ドレンの流出を防止して、臭いの発生のない安全な液体燃料燃焼装置を提供することを目的とする。
【課題を解決するための手段】
【０００７】
本発明は、液体燃料を燃焼するバーナと、前記バーナを収容して置台上に載置されるバーナボックスとを備え、前記バーナで発生するドレンを受けるドレン受部が前記バーナボックスに設けられていることを特徴とする液体燃料燃焼装置である。
【０００８】
また、前記ドレン受部はドレンを排出するドレン排出孔を有し、前記置台は周縁に置台溜まり部を有するとともに、ドレン排出孔から排出されたドレンを置台溜まり部に導くドレン流路が設けられていることを特徴とする請求項１記載の液体燃料燃焼装置である。
【０００９】
また、前記バーナボックスはバーナへ供給する一次空気が流入する一次空気流入口を備える仕切板を有し、ドレン受部は前記仕切板の一次空気流入口より下流に設けられていることを特徴とする請求項１または２に記載の液体燃料燃焼装置である。
【発明の効果】
【００１０】
上述のように構成することにより、バーナからドレンが流れ出たとしても、ドレン受部に溜まり、ここでバーナの燃焼熱を受けて気化されて燃焼するため、ドレンが燃焼装置内部に流出することがなく、臭いの発生や火災等の危険を防止することができる。
【発明を実施するための最良の形態】
【００１１】
好適と考える本発明の実施形態を、本発明の作用を示して簡単に説明する。
【００１２】
本発明は灯油等の液体燃料を燃焼させる燃焼装置であって、バーナ内で気化ガスが結露してドレンが多量に発生した場合、バーナから流れ出たドレンを受けるドレン受部がバーナボックスに設けられている。
【００１３】
その後、燃焼が継続してバーナが加熱されると、その熱はバーナボックスに伝達されてバーナボックスの温度が上昇していく。すると、ドレン受部に溜まったドレンはバーナボックスからの熱を吸収することにより気化して気化ガスとなり、バーナで燃焼するため、ドレンは装置内に流出することがなく、臭いの発生や火災等の原因となることを防止できる。
【００１４】
また、さらに多量のドレンが発生した場合、ドレン排出孔から置台に向けてドレンが排出されるが、排出されたドレンは、ドレン流路を通って置台の周縁に設けられた置台溜まり部に流入する。従って、装置内にドレンを拡散させることなく、発生したドレンを一箇所に集めることができるので、不良灯油の使用などによる燃焼状態の異常を素早く検知することができるようになる。
【００１５】
また、ドレン受部を一次空気流入口の下流に設けることにより、気化したドレンは一次空気流入口からバーナへ向かう一次空気の流れによって漏れなくバーナへ導入されるため、臭いの発生を抑えることができる。
【実施例１】
【００１６】
本発明の具体的な実施例について図面に基づいて説明する。
【００１７】
図１は本発明の燃焼装置の内部構成図であり、本体ケース１と置台２からなる燃焼装置の内部には、灯油等の液体燃料を貯蔵する油受皿３と、油受皿３の上部に載置され燃料を汲み上げる電磁ポンプ４と、電磁ポンプ４によって油受皿３から汲み上げられた液体燃料を加熱気化する気化器５と、気化器５により気化された気化ガスを燃焼するバーナ６と、バーナ６を収容するバーナボックス７と、装置内部に空気を取り込む送風機８が備えられている。
【００１８】
そして図２はバーナ６付近の構成をあらわした図であって、バーナ６は、開口９より流入する気化ガスと一次空気を混合して混合ガスとする混合管１０と、この混合ガスが噴出して燃焼する炎孔部１１と、混合ガスに点火する点火装置１２から構成されている。
【００１９】
また、バーナボックス７は内部を上下に分割する仕切板１３を有しており、この仕切板１３には混合管１０に供給される一次空気が流入する一次空気流入口１４と、混合管１０内で発生したドレンを受けるドレン受部１５が設けられていて、バーナボックス７内に流れ込んだ一次空気は矢印で示すように、一次空気流入口１４から仕切板１３で区切られたバーナボックス７の上層部へ流入し、ドレン受部１５の上を通過して混合管１０へ供給される。
【００２０】
なお、燃焼中において仕切板１３はバーナ６の燃焼熱を受けて温度が上昇するが、ドレン受部１５に溜まったドレンを気化させて再び燃焼に用いることができるよう、仕切板１３はドレンを気化することのできる温度にまで昇温されるような位置に設けられている。つまり、灯油はおよそ７０℃〜８０℃で気化し始めるため、仕切板１３の温度は少なくともそれ以上となるように設けられる必要がある。
【００２１】
また、ドレン受部１５は底面にドレン排出孔１６を有しており、ドレン受部１５に溜まったドレンはここから下方の置台２に排出されるようになっている。
【００２２】
そして図３に示すように、置台２にはドレン排出孔１６の鉛直下方を起点として、置台２周縁に設けられた置台溜まり部１７に連通するドレン流路１８が形成されており、ドレン排出孔１６から排出されたドレンは、ドレン流路１８を通って置台溜まり部１７に集められるようになっている。
【００２３】
次に、上述の構成における動作を説明する。
【００２４】
燃焼装置の運転が指示されると、気化器５に内蔵されたヒータへの通電が開始されて気化器５が加熱される。そして、気化器５の温度が燃料を気化することのできる温度まで上昇すると、電磁ポンプ４が駆動して油受皿３の燃料を汲み上げて気化器５へ供給し、燃料は気化器５内で加熱されて気化ガスとなり、先端より混合管１０の開口９へ噴出される。
【００２５】
気化ガスが噴出されると、その噴出力により周囲の空気が一次空気として混合管１０内部に引き込まれ、さらに、送風機８の回転により本体内に導入された空気もバーナボックス７の下方より流入し、一次空気流入口１４を通って混合管１０に一次空気として押し込まれるため、これら一次空気は前述の気化ガスと混合して混合ガスとなる。そして、混合ガスは炎孔部１１から噴出し、点火装置１２により点火されてバーナ６で燃焼を開始する。
【００２６】
このように燃焼が開始された直後においては、混合管１０の温度はまだ低いため、気化器５から混合管１０に噴出された高温の気化ガスは、混合管１０の内壁に接触した際に冷却されて結露し、結露した気化ガスはドレンとなって混合管１０の内壁に付着する。また、混合される一次空気によっても気化ガスは冷却されて結露し、ドレンが混合管１０の内部に付着することになる。しかし、燃焼が継続すると火炎からの燃焼熱によって混合管１０の温度が上昇するため、このようにして混合管１０内部に付着したドレンも加熱されて気化ガスとなり、バーナ６で燃焼されるので、混合管１０からドレンが流れ出してしまうことはない。
【００２７】
ところが、燃料として不良灯油を使用したり、また誤って軽油を使用してしまった場合、これらの燃料は通常の灯油よりも気化温度が高いため結露しやすく、多量のドレンが発生して混合管１０内に堆積されてしまう。すると、混合管１０は開口９に向かってわずかながら傾斜しているため、この傾斜に沿って気化しきれなくなったドレンが混合管１０より流れ出してドレン受部１５に溜まる。
【００２８】
そして、燃焼が継続すると燃焼熱によりバーナ６が加熱するため、その熱はバーナボックス７に伝達されて、仕切板１３の温度が上昇していく。そして、ドレン受部１５が灯油を気化することができる温度にまで上昇すると、ドレン受部１５に溜まったドレンは気化してここから気化ガスが発生する。すると、ドレン受部１５で気化した気化ガスは、一次空気流入口１４から流入する一次空気流とともに混合管１０内に導入され、バーナ６で燃焼されることになる。
【００２９】
したがって、ドレン受部１５に流れ落ちたドレンはやがて気化されて再びバーナ６での燃焼に用いられるため、ドレン受部１５にドレンが堆積してしまうことはない。そしてドレン受部１５で気化した気化ガスは、一次空気の流れに乗って漏れなく混合管１０へ導入されて燃焼するため、臭いの発生が抑えられることになる。
【００３０】
ところが、それよりもさらに多量のドレンが発生した場合には、混合管１０より流れ出たドレンがドレン受部１５で気化しきれなくなってしまう。この場合には、気化しきれずにドレン受部１５に溜まったドレンはドレン排出孔１６から下方の置台２へ排出されるようになっており、置台２にはドレン流路１８が形成されているため、このドレン流路１８を通って置台２の周縁に設けられた置台溜まり部１７に集められる。
【００３１】
したがって、置台２全体にドレンを拡散させずに置台溜まり部１７の一箇所に集めることができるので、装置内部がドレンで汚れてしまうことはなく、また、使用者においては置台溜まり部１７に溜まったドレンを容易に確認することができるため、不良灯油の使用などによる燃焼状態の異常を素早く検知して、灯油を交換する等の対処ができ、安全性においても優れた燃焼装置となる。
【００３２】
なお、このドレン排出孔１６は単にドレン受部１５に孔を設ける構成とするだけでなく、図４のようにバーリング加工によってドレン受部１５の内側に向けて切り起こし１９を形成するようにしてもよい。つまり、ドレン受部１５の内側に向けられた切り起こし１９の高さＬによって、ドレン受部１５に溜めることのできるドレンの量を調節するように構成することができる。
【図面の簡単な説明】
【００３３】
【図１】本実施例の燃焼装置の内部構成図である。
【図２】本実施例のバーナ付近の構成図である。
【図３】本実施例の置台の上面図である。
【図４】本実施例のドレン排出口の変形例である。
【符号の説明】
【００３４】
２    置台
６    バーナ
７    バーナボックス
１３  仕切板
１４  一次空気流入口
１５  ドレン受部
１６  ドレン排出孔
１７  置台溜まり部
１８  ドレン流路
【図１】
2007155249.tif 000003
【図２】
2007155249.tif 000004
【図３】
2007155249.tif 000005
【図４】
2007155249.tif 000006